(57)【特許請求の範囲】
【請求項１】
樹脂性シートに覆われたビニルハウスの屋根部開閉構造において、
山形形状とした前記屋根部傾斜面に、前記ビニルハウス長手方向に沿って開口した天窓部を開閉自在に被覆する天窓用シートと、
この天窓用シートの基端を、前記屋根部の頂部から所定間隔離隔した位置で保持するシート保持部を備え、前記ビニルハウスの頂部に前記ビニルハウス長手方向に沿って配設されたシート支持体と、
前記天窓用シートの先端に取付けられ、当該天窓用シートを巻取可能とした巻取パイプと、
断面略コ字状に形成されたパイプ収容部を有し、前記屋根部傾斜面の中途部に前記シート支持体と略平行に配設されるとともに、前記パイプ収容部の上部に前記巻取パイプを係止するパイプ係止部が形成されたパイプ支持体と、
このパイプ支持体及び前記シート支持体間に、前記ビニルハウス長手方向に所定間隔を開けて架け渡された複数のレール部材と、
を具備し、
前記巻取パイプにより、前記天窓用シートを巻取って前記天窓部を開放する一方、前記天窓用シートを巻戻して前記天窓部を被覆して閉鎖可能とし、
しかも、前記天窓用シートを前記パイプ支持体の上端面から前記屋根部傾斜面側に落下させるまで巻戻した後、巻き戻し方向と同方向に前記巻取パイプを回転させることにより、前記天窓用シートを巻取りながら前記パイプ支持体の前記パイプ収容部に移動させて係止し、前記天窓用シートの緊張状態を維持しつつ前記天窓部を閉鎖可能としたことを特徴とする屋根部開閉構造。
【請求項２】
前記天窓部は、前記シート支持体及び前記パイプ支持体と前記複数のレール部材とによって複数の開口領域に区画されており、
前記複数の開口領域のうち、前記ビニルハウス長手方向両端に位置する前記開口領域は、換気不能に閉塞され、その他の開口領域には、ネット部材が張着されることを特徴とする請求項１に記載の屋根部開閉構造。
【請求項３】
前記シート保持部は、
前記シート支持体頂部の平面部分からなる底壁部と、当該底壁部の前記ビニルハウス長手方向における左右側端縁をそれぞれ内側斜め上方に立ち上げて形成される左右側壁部とからなる溝部と、前記溝部の内部に装着する弾性係止部材との間に、前記天窓用シートをクランプして保持することを特徴とする請求項１又は２に記載の屋根部開閉構造。
【請求項４】
前記パイプ係止部は、前記パイプ収容部の上辺先端部を内側に折曲して形成されることを特徴とする請求項１〜３のいずれか１項に記載の屋根部開閉構造。
【請求項５】
前記ネット部材は、前記シート支持体及び前記パイプ支持体にそれぞれ設けられたネット保持部によりその両端を保持されており、
前記シート支持体のネット保持部は、
前記シート支持体の前記ビニルハウス長手方向における側面上部と前記シート保持部の前記側壁部とに亘る位置に、前記シート保持部の底壁部に対して所定角度傾斜して形成される底壁部と、当該底壁部の前記ビニルハウス長手方向における左右側端縁を当該底壁部に対してそれぞれ内側斜め上方に立ち上げて形成される左右側壁部とからなる溝部と、当該溝部の内部に装着する弾性係止部材との間に、前記ネット部材の基端をクランプして保持し、
前記パイプ支持体のネット保持部は、
前記パイプ支持体の上辺からなる底壁部と、当該底壁部のハウス長手方向における左右側端縁を当該底壁部に対してそれぞれ内側斜め上方に立ち上げて形成される左右側壁部とからなる溝部と、当該溝部の内部に装着する弾性係止部材との間に、前記ネット部材の先端をクランプして保持することを特徴とする請求項３〜４のいずれか１項に記載の屋根部開閉構造。
【請求項６】
前記シート保持部にその基端が保持されるとともに前記ビニルハウスの外周に沿って張設されるハウスバンドの中途部を所定の高さで支持するバンドガイド体を有し、
前記バンドガイド体は、
一端に前記ハウスバンドを支持する支持部を有し、他端に前記パイプ収容部に設けた係止部に係止される被係止部を有し、前記パイプ収容部に着脱自在に装着されることを特徴とする請求項３〜５のいずれか１項に記載の屋根部開閉構造。
【発明の詳細な説明】
【技術分野】
【０００１】
本発明は、樹脂性シートに覆われたビニルハウスの屋根部開閉構造に関するものである。
【背景技術】
【０００２】
農業用のビニルハウスは、アルミや鉄鋼製のパイプ材などからなる骨組材を組上げ、骨組材に沿って合成樹脂フィルムからなるシート材を張設して構成されている。従来、かかるビニルハウスの中には、農作物やその他の生育させる植物に応じてハウス内の温度や湿度を適切に調整するため、ビニルハウスの屋根部を開閉可能に構成したものがあった。
【０００３】
例えば、特許文献１には、図６に示すように、ビニルハウス６００の骨組み材６０１に係止される枠体５０１と、当該枠体５０１、５０２に回動自在に軸支された扉体５０３と、当該扉体５０３を係止する複数のアーム部材５０４と、当該アーム部材５０４を上下動させるための滑車装置５０５とを有し、滑車装置５０５に掛けられたベルト５０６を牽引することにより、当該滑車装置５０５を介してアーム部材５０４を上下動させ、このアーム部材５０４の上下動に連動させて扉体５０３の開閉を行うことができる天窓５００が記載されている。
【特許文献１】特開平７−２４６０３３号公報
【発明の開示】
【発明が解決しようとする課題】
【０００４】
ところが、上記従来の天窓５００は、アルミニウム等の金属板を型押し成型した枠体５０１、５０２、扉体５０３、複数のアーム部材５０４等、多くの金属部材を必要とし構造も複雑であるため高価なものとなる。しかも、多くの金属部材からなる天窓５００は、重量が嵩むため、比較的強度が低いビニルハウスには不向きであった。
【０００５】
安価で軽量なビニルハウスの屋根部開閉構造としては、例えば、ビニルハウスの天井に開口部と当該開口部を覆うシート材とを設けて、当該シート材を巻取り或いは巻き戻すことにより開口部の開閉を行ってビニルハウス内を換気する方法が考えられる。しかし、かかる構成とすると、風の強い日などは、開口部を塞いでいたシート材が強風によってずれたりよれたりしてしまうため、ずれた部分から雨水や鳥などがビニルハウス内に入り込み農作物に悪影響を及ぼしたり、或いは、よれた部分に雨水が溜まり、シート材を巻取る際に溜まった水が落下して作業者や農作物が濡れるおそれがある。
【０００６】
そこで、本発明は、安価で軽量、且つ、強風が吹いた場合でも開口部を確実に塞いでおくことのできるビニルハウスの屋根部開閉構造を提供することを目的とするものである。
【課題を解決するための手段】
【０００７】
（１）上記課題を解決するために、本発明は、樹脂性シートに覆われたビニルハウスの屋根部開閉構造において、山形形状とした前記屋根部傾斜面に、前記ビニルハウス長手方向に沿って開口した天窓部を開閉自在に被覆する天窓用シートと、この天窓用シートの基端を、前記屋根部の頂部から所定間隔離隔した位置で保持するシート保持部を備え、前記ビニルハウスの頂部に前記ビニルハウス長手方向に沿って配設されたシート支持体と、前記天窓用シートの先端に取付けられ、当該天窓用シートを巻取可能とした巻取パイプと、断面略コ字状に形成されたパイプ収容部を有し、前記屋根部傾斜面の中途部に前記シート支持体と略平行に配設されるとともに、前記パイプ収容部の上部に前記巻取パイプを係止するパイプ係止部が形成されたパイプ支持体と、このパイプ支持体及び前記シート支持体間に、前記ビニルハウス長手方向に所定間隔を開けて架け渡された複数のレール部材とを具備し、前記巻取パイプにより、前記天窓用シートを巻取って前記天窓部を開放する一方、前記天窓用シートを巻戻して前記天窓部を被覆して閉鎖可能とし、しかも、前記天窓用シートを前記パイプ支持体の上端面から前記屋根部傾斜面側に落下させるまで巻戻した後、巻き戻し方向と同方向に前記巻取パイプを回転させることにより、前記天窓用シートを巻取りながら前記パイプ支持体の前記パイプ収容部に移動させて係止し、前記天窓用シートの緊張状態を維持しつつ前記天窓部を閉鎖可能とした。
【０００８】
（２）また、本発明は、上記（１）に記載の屋根部開閉構造において、前記天窓部は、前記シート支持体及び前記パイプ支持体と前記複数のレール部材とによって複数の開口領域に区画されており、前記複数の開口領域のうち、前記ビニルハウス長手方向両端に位置する前記開口領域は、換気不能に閉塞され、その他の開口領域には、ネット部材が張着されることを特徴とする。
【０００９】
（３）また、本発明は、上記（１）又は（２）に記載の屋根部開閉構造において、前記シート保持部は、前記シート支持体頂部の平面部分からなる底壁部と、当該底壁部の前記ビニルハウス長手方向における左右側端縁をそれぞれ内側斜め上方に立ち上げて形成される左右側壁部とからなる溝部と、前記溝部の内部に装着する弾性係止部材との間に、前記天窓用シートをクランプして保持することを特徴とする。
【００１０】
（４）本発明は、上記（１）〜（３）のいずれかに記載の屋根部開閉構造において、前記パイプ係止部は、前記パイプ収容部の上辺先端部を内側に折曲して形成されることを特徴とする。
【００１１】
（５）また、本発明は、上記（３）〜（４）のいずれかに記載の屋根部開閉構造において、前記ネット部材は、前記シート支持体及び前記パイプ支持体にそれぞれ設けられたネット保持部によりその両端を保持されており、前記シート支持体のネット保持部は、前記シート支持体の前記ビニルハウス長手方向における側面上部と前記シート保持部の前記側壁部とに亘る位置に、前記シート保持部の底壁部に対して所定角度傾斜して形成される底壁部と、当該底壁部の前記ビニルハウス長手方向における左右側端縁を当該底壁部に対してそれぞれ内側斜め上方に立ち上げて形成される左右側壁部とからなる溝部と、当該溝部の内部に装着する弾性係止部材との間に、前記ネット部材の基端をクランプして保持し、前記パイプ支持体のネット保持部は、前記パイプ支持体の上辺からなる底壁部と、当該底壁部のハウス長手方向における左右側端縁を当該底壁部に対してそれぞれ内側斜め上方に立ち上げて形成される左右側壁部とからなる溝部と、当該溝部の内部に装着する弾性係止部材との間に、前記ネット部材の先端をクランプして保持することを特徴とする。
【００１２】
（６）また、本発明は、上記（３）〜（５）のいずれかに記載の屋根部開閉構造において、前記シート保持部にその基端が保持されるとともに前記ビニルハウスの外周に沿って張設されるハウスバンドの中途部を所定の高さで支持するバンドガイド体を有し、前記バンドガイド体は、一端に前記ハウスバンドを支持する支持部を有し、他端に前記パイプ収容部に設けた係止部に係止される被係止部を有し、前記パイプ収容部に着脱自在に装着されることを特徴とする。
【発明の効果】
【００１３】
本発明によれば、従来の天窓のように金属板を型押し成型した枠体、扉体、複数のアーム部材等といった多くの金属部材を必要としないので、安価で軽量、且つ、強風が吹いた場合でも開口部を確実に塞いでおくことのできるビニルハウスの屋根部開閉構造を提供することができる。
【発明を実施するための最良の形態】
【００１４】
本実施形態にかかるビニルハウスの屋根部開閉構造は、樹脂性シートに覆われたビニルハウスの屋根部開閉構造であって、山形形状とした屋根部傾斜面に、ビニルハウス長手方向に沿って開口した天窓部を開閉自在に被覆する天窓用シートと、この天窓用シートの基端を、屋根部の頂部から所定間隔離隔した位置で保持するシート保持部を備え、ビニルハウスの頂部にビニルハウス長手方向に沿って配設されたシート支持体と、天窓用シートの先端に取付けられ、当該天窓用シートを巻取可能とした巻取パイプと、断面略コ字状に形成されたパイプ収容部を有し、屋根部傾斜面の中途部にシート支持体と略平行に配設されるとともに、パイプ収容部の上部に巻取パイプを係止するパイプ係止部が形成されたパイプ支持体と、このパイプ支持体及びシート支持体間に、ビニルハウス長手方向に所定間隔を開けて架け渡された複数のレール部材とを具備し、巻取パイプにより、天窓用シートを巻取って天窓部を開放する一方、天窓用シートを巻戻して天窓部を被覆して閉鎖可能とし、しかも、天窓用シートをパイプ支持体の上端面から屋根部傾斜面側に落下させるまで巻戻した後、巻き戻し方向と同方向に巻取パイプを回転させることにより、天窓用シートを巻取りながらパイプ支持体のパイプ収容部に移動させて係止し、天窓用シートの緊張状態を維持しつつ天窓部を閉鎖可能としている。
【００１５】
すなわち、この屋根部開閉構造は、シート支持体のシート保持部にその基端が保持された天窓用シートを、当該天窓用シートの先端部に取り付けられた巻取パイプにより巻取り又は巻戻すことにより、ビニルハウスに形成された開口である天窓部の開放及び閉鎖を行って、当該ビニルハウスの通気状態の制御を行うものである。しかも、この屋根部開閉構造は、天窓部を閉鎖する際、天窓用シートをパイプ支持体の上端面からビニルハウスの屋根部傾斜面側に落下させるまで巻戻した後、巻き戻し方向と同方向に巻取パイプを回転させることにより、天窓用シートを巻取りながら断面略コ字状に形成されたパイプ支持体のパイプ収容部に移動させて係止し、天窓用シートの緊張状態を維持しつつ天窓部を閉鎖することとしている。
【００１６】
このように、本実施形態にかかる屋根部開閉構造によれば、天窓用シートの緊張状態を維持しつつ天窓部を閉鎖することができるため、強風が吹いた場合であっても、天窓用シートがずれたりよれたりすることがなく、ずれた部分から雨水や鳥などがビニルハウス内に入り込み農作物に悪影響を及ぼしたり、或いは、よれた部分に雨水が溜まり、シート材を巻取る際に溜まった水が落下して作業者や農作物が濡れるおそれがない。また、従来の天窓と比較して、少ない金属部材で構成することができるので、重量を軽減でき、構造も比較的簡単なため、安価に製造することができる。
【００１７】
また、本実施形態にかかる屋根部開閉構造において、シート保持部は、シート支持体頂部の平面部分からなる底壁部と、当該底壁部のビニルハウス長手方向における左右側端縁をそれぞれ内側斜め上方に立ち上げて形成される左右側壁部とからなる溝部と、この溝部の内部に装着する弾性係止部材との間に、前記天窓用シートをクランプして保持するように構成している。
【００１８】
かかる構成とすることにより、素材重量を軽減できるためビニルハウスに大きな負荷がかかることなく、天窓用シートの保持状態を確実に維持することができる。また、天窓用シートの保持は、当該天窓用シートを、溝部に着脱可能な弾性係止部材にクランプさせることによりなされるため、当該天窓用シートの着脱を容易に行うことができる。
【００１９】
また、ビニルハウスに形成される天窓部は、シート支持体及びパイプ支持体と複数のレール部材とによって複数の開口領域に区画され、複数の開口領域のうち、ビニルハウス長手方向両端に位置する開口領域は換気不能に閉鎖され、その他の開口領域にはネット部材が張着された構成とすることができる。
【００２０】
すなわち、本実施形態における天窓部は、シート支持体が設けられたビニルハウスの頂部からパイプ支持体が設けられたビニルハウスの屋根部傾斜面の中途部にかけて形成されており、パイプ支持体及びシート支持体間に架け渡された複数のレール部材により、複数の開口領域がハウス長手方向に沿って形成されている。そして、これら複数の開口領域のうち、ハウス長手方向両端に位置する開口領域、すなわち、天窓用シートの両端部に位置する開口領域には、天窓用シートと同素材のシート材或いはアクリル板等が設けられることにより換気不能に閉塞されており、また、その他の開口領域には、それぞれ網目状のネット部材が張着されている。
【００２１】
このように、強風により最もめくれ易い天窓用シートの両端部に位置する開口領域が換気不能に閉塞されるため、ビニルハウス内への雨風の侵入をより確実に防ぐことができる。また、その他の開口領域には、それぞれネット部材が張着されるため、天窓部が開放された状態のときに、当該開口領域からの虫や鳥の侵入を防止することができる。
【００２２】
また、本実施形態にかかる屋根部開閉構造は、シート支持体及びパイプ支持体にそれぞれ設けられたネット保持部によってネット部材の両端を保持する構成とすることができる。かかる場合、シート支持体のネット保持部は、シート支持体のビニルハウス長手方向における側面上部とシート保持部の側壁部とに亘る位置に、シート保持部の底壁部に対して所定角度傾斜して形成される底壁部と、当該底壁部のビニルハウス長手方向における左右側端縁を当該底壁部に対してそれぞれ内側斜め上方に立ち上げて形成される左右側壁部とからなる溝部と、当該溝部の内部に装着する弾性係止部材との間に、ネット部材の基端をクランプして保持し、パイプ支持体のネット保持部は、パイプ支持体の上辺からなる底壁部と、当該底壁部のハウス長手方向における左右側端縁を当該底壁部に対してそれぞれ内側斜め上方に立ち上げて形成される左右側壁部とからなる溝部と、当該溝部の内部に装着する弾性係止部材との間に、ネット部材の先端をクランプして保持する構成とする。
【００２３】
このように、シート保持部の近傍及びパイプ支持体の上部にそれぞれネット保持部を形成することで、天窓用シートとネット部材との間隔を狭くすることができるため、天窓用シートとネット部材との間の隙間から雨風が入り込むのを防ぐことができる。また、シート支持体に設けられるネット保持部をシート保持部に対して斜めに傾けて形成することにより、ビニルハウスの頂部という僅かなスペースに設置されるシート支持体上部にシート保持部及びネット保持部の両方を形成することができ、天窓部の開口領域をより広く確保することができる。さらに、斜めに傾けて形成することにより、レール部材との成す角が大きくなるため、シート支持体の側面に沿って垂直に形成した場合と比較してネット部材が溝部から外れにくく、当該ネット部材をより強固に保持することができる。
【００２４】
また、本実施形態にかかる屋根部開閉構造において、パイプ係止部は、パイプ収容部の上辺先端部を内側に折曲して形成することができる。
【００２５】
すなわち、本実施形態にかかるパイプ係止部は、パイプ収容部の上辺先端部を当該パイプ収容部の内側へ略４５度の角度でアールを付けて折曲させ、さらにその先端部に断面略円形の膨大部を設けて形成されている。かかる構成とすることにより、巻取パイプを、天窓用シートを巻取りながらパイプ支持体のパイプ収容部の上部に移動させる際に、当該巻取パイプをパイプ収容部内へと案内して、当該パイプ収容部内に確実に係止させることができる。また、パイプ収容部の上辺先端の折曲部やその先端でエッジが立たないように形成されているため、これらの部分に当接する天窓用シートを傷つけることがない。
【００２６】
ここで、巻取パイプによる天窓用シートの巻上げ、巻戻し操作及びパイプ係止部での係止状態の保持は、巻取パイプの一端に装着して使用されるシート巻上げ装置により行うことができる。このシート巻上げ装置は、パイプ状の延長回動部材と、当該の延長回動部材の一端に設けられた、巻取パイプの一端と連結するための連結部と、当該延長回動部材の他端に設けられた、クランク状に形成したハンドル部とを有しており、ハンドル部を回転させることにより、その回転が延長回動部材及び連結部を介して巻取パイプに伝達されて、巻取パイプがパイプ軸回りに回転し、天窓用シートを巻取パイプに巻取りながら巻上げることができ、さらに、その巻上げや巻戻しを、所望位置で簡単にロックするロック機構を設けることができる。
【００２７】
また、本実施形態にかかる屋根部開閉構造において、パイプ収容部の下部には、前記シート保持部にその基端を保持されるとともに前記ビニルハウスの外周に沿って張設されるハウスバンドの中途部を所定の高さで支持する断面略Ｌ字状のバンドガイド体を備えている。
【００２８】
このガイド体は、その一端にハウスバンドを支持する支持部を有し、他端にパイプ収容部に設けた係止部に係止される被係止部を有し、前記パイプ収容部に着脱自在に装着している。
【００２９】
すなわち、このガイド体は、前記略コ字状のパイプ収容部の開放端と向き合うように設けられ、前記他端部分を所定長さ折曲して形成された被係止部を、前記パイプ収容部の下部に設けられた断面略逆Ｕ字状の係止部に係止することにより、前記パイプ収容部に着脱自在に装着されている。
【００３０】
このように、バンドガイド体によってハウスバンドを所定の高さで支持することにより、巻取パイプを巻取ったり巻戻したりする際に、ハウスバンドが巻取パイプに当接して当該巻取り操作や巻戻し操作を阻害するのを防止することができる。
【００３１】
以下、本実施形態に係るビニルハウスの屋根部開閉構造について、図面を参照して具体的に説明する。図１は、本実施形態に係る屋根部開閉構造の外観図である。
【００３２】
図１に示すように、ビニルハウス（以下、「ハウス１００」という。）は、複数のハウス構築材１０１を適宜箇所で所定の緊締具により連結して構築され、その外側をハウス形成用の樹脂性シート１１０により被覆して形成されている。
【００３３】
このハウス１００には、その頂部から山形形状とした屋根部１２０の傾斜面の中途部にかけて、樹脂性シート１１０が被覆されない開口領域（以下、「天窓部１３０」と称する。）が、ハウス長手方向に沿って形成されている。そして、ハウス１００は、かかる天窓部１３０の開閉を行う屋根部開閉構造２００を備えており、この屋根部開閉構造２００により天窓部１３０の開閉を行ってハウス１００の通気状態を制御可能に構成している。
【００３４】
なお、図中、符号３００は、天窓用シート２０１のめくれを防止するためにハウス１００の屋根部１２０外周に沿って張設されるハウスバンド３００であり、その両端をハウス１００屋根部１２０の軒を構成するハウス構築材１０１に係止することによりハウス１００に張設されている。なお、かかるハウスバンド３００の取り付け方法に代えて、ハウス１００周りの土中に突き立てられた専用の結着部材に当該ハウスバンド３００の両端を結着することにより張設することとしてもよい。
【００３５】
この屋根部開閉構造２００は、開口した天窓部１３０を開閉自在に被覆する天窓用シート２０１と、天窓用シート２０１の基端を保持するためのシート支持体２１０と、天窓用シート２０１の先端に取り付けられ、当該天窓用シート２０１を巻取可能とした巻取パイプ２３０と、巻取パイプ２３０を所定の高さに支持するパイプ支持体２４０と、このパイプ支持体２４０及びシート支持体２１０間に、ハウス長手方向に所定間隔を開けて架け渡された複数のレール部材２６０と、を有している。
【００３６】
また、巻取パイプ２３０の一端には、作業者が巻取パイプ２３０を回転させて天窓用シート２０１の巻取り及び巻き戻しを行うために操作するシート巻取装置２３１が連結されている。
【００３７】
このシート巻取装置２３１は、所定の長さを有するシャフト２３３と、このシャフトの一端側（下端側）に設けられ、作業者が回動操作するハンドル２３２と、シャフト２３３の他端側（上側）に設けられ、シャフト２３３の回転力を巻取りパイプ支持体２４０の回転力に変換するユニバーサルギヤ２３４とを備えている。なお、このシート巻取装置２３１は、シャフト２３３の回転を禁止可能とするロック機構（図示略）を備えている。
【００３８】
そして、この屋根部開閉構造２００では、天窓用シート２０１が巻取パイプ２３０に全て巻取られ、巻取パイプ２３０がシート支持体２１０側に位置している状態が天窓部１３０を開放している状態であり、巻取パイプ２３０に巻取られた天窓用シート２０１が巻戻されて、巻取パイプ２３０がパイプ支持体２４０側に位置している状態が天窓部１３０を閉鎖している状態である。
【００３９】
すなわち、この屋根部開閉構造では、作業者がシート巻取装置２３１のハンドル２３２を回動操作することにより、天窓用シート２０１が巻取られた巻取パイプ２３０が、天窓用シート２０１を巻戻しながらレール部材２６０上を上方から下方へ回転移動することによって、開放状態の天窓部１３０を閉鎖するように構成している。
【００４０】
また、この屋根部開閉構造２００において、天窓部１３０は、上記複数のレール部材２６０によって複数の開口領域に区画されており、この複数の開口領域のうち、ハウス長手方向両端に位置する開口領域を、遮蔽シート２０３によって換気不能に常時閉塞することとしている。このように、強風により最もめくれ易い天窓用シート２０１の両端部に位置する開口領域が換気不能に閉塞されるため、ハウス１００内への雨風の侵入をより確実に防ぐことができる。
【００４１】
また、その他の開口領域には、ネット部材２０２を張設して、天窓部１３０が開放状態のときに、外部からハウス１００内へ害虫や鳥等が侵入できないように構成している。
【００４２】
以下、かかる屋根部開閉構造２００の構成について、図２〜５を用いてより詳細に説明する。図２は本実施形態に係る屋根部開閉構造２００の側面図であり、図３は本実施形態に係るシート支持体２１０周辺の拡大側面図であり、図４は本実施形態に係るパイプ支持体２４０周辺の拡大側面図である。
【００４３】
図２及び図３に示すように、シート支持体２１０は、断面略矩形状の中空部材であり、ハウス１００の頂部にハウス長手方向に沿って配設されている。なお、このシート支持体２１０は、当該シート支持体２１０の下面を、ハウス１００の頂部上面に当接させた状態で挟持部材２１１、２１２により挟持し、これら挟持部材２１１、２１２をボルト２１３及びナット２１４を用いて締結することにより、ハウス１００の頂部に固定されている。
【００４４】
また、このシート支持体２１０は、その上面に設けられ、天窓用シート２０１の基端を、屋根部１２０の頂部よりも所定高さ離隔した上方位置で保持するシート保持部２１５と、シート保持部２１５のハウス長手方向における両側に設けられ、ネット部材２０２或いは遮蔽シート２０３の基端を保持するネット保持部２１６と、当該シート支持体２１０の両側面に設けられレール部材２６０の一端を支持するレール支持部２２９とを有している。
【００４５】
シート保持部２１５は、図３に示すように、シート支持体２１０頂面部分からなる底壁部２１７と、当該底壁部２１７のハウス長手方向における左右側端縁を底壁部２１７に対してそれぞれ略６０度の傾斜角度で内側に立ち上げて形成される左右側壁部２１８、２１９とからなる溝部２２０を備えている。
【００４６】
この溝部２２０は、図３に示すように、底壁部２１７の幅よりも上部の開口幅を狭く形成している。
【００４７】
そして、シート保持部２１５に天窓用シート２０１を取り付ける場合は、溝部２２０の開口部側からその内部に天窓用シート２０１を挿入し、次に天窓用シート２０１の上から、弾性係止部材として、溝部２２０の幅に合わせて所定の振り幅で蛇行させた専用のスプリング４００を挿入し、溝部２２０内周面とスプリング４００との間に天窓用シート２０１をクランプして保持する。
【００４８】
なお、左右側壁部２１８、２１９の先端部分には、底壁部２１７と略平行となるように溝部２２０の内方側に向かって突出した係止部２２１、２２２が形成されており、スプリング４００の溝部２２０からの抜けを可及的に防止することが可能となっている。
【００４９】
ネット保持部２１６は、シート保持部２１５のハウス長手方向における両側に設けられ、前述のシート保持部２１５と同様の構造をしており、天窓用シート２０１の保持方法と同様の方法でネット部材２０２の端部を保持するように構成している。
【００５０】
具体的に説明すると、このネット保持部２１６は、シート支持体２１０のハウス長手方向における側面上部とシート保持部２１５の側壁部とに亘る位置に、シート保持部２１５の底壁部２１７に対して所定角度傾斜して形成される底壁部２２３と、当該底壁部２２３のハウス長手方向における左右側端縁を、当該底壁部２２３に対してそれぞれ略６０度の傾斜角度で内側に立ち上げて形成される左右側壁部２２４、２２５とからなる溝部２２６を備えている。
【００５１】
この溝部２２６もシート保持部２１５の溝部２２０と同様に、底壁部２１７の幅よりも開口幅を狭く形成している。
【００５２】
このネット保持部２１６は、溝部２２６の内周面と、当該溝部２２６の内部に装着するスプリング４００との間に、ネット部材２０２の一端をクランプして保持するように構成している。
【００５３】
すなわち、ネット保持部２１６へのネット部材２０２或いは遮蔽シート２０３の取り付けは、上記シート保持部２１５の天窓用シート２０１への取り付けと同様、溝部２２６内周面とスプリング４００との間にネット部材２０２或いは遮蔽シート２０３の一端をクランプして保持し、これらがネット保持部２１６から外れないように固定する。なお、ここで用いるスプリング４００は、前述の天窓用シート２０１をクランプする際に用いたものと同一構造のスプリングである。
【００５４】
また、ネット保持部２１６における左右側壁部２２４、２２５の先端部分にもシート保持部２１５と同様の係止部２２７、２２８が形成されており、スプリング４００の溝部２２６からの抜けを可及的に防止することが可能となっている。
【００５５】
レール支持部２２９は、レール部材２６０の一端を支持するものである。このレール支持部２２９は、シート支持体２１０の長手方向左右両側面に屋根部１２０と平行して鍔状に突設されている。
【００５６】
そして、レール部材２６０は、このレール支持部２２９と後述のパイプ支持体２４０に設けられたレール支持部２２９との間に架設される。なお、架設されたレール部材の両端は、ビスにより、各レール支持部２２９、２４４に固定する。
【００５７】
このように、本実施形態の屋根部開閉構造２００では、シート支持体２１０が、天窓用シートの一端を保持する機能と、ネット部材２０２或いは遮蔽シート２０３の端部を保持する機能と、レール部材２６０の一端を支持する機能とを兼ね備えているので、当該屋根部開閉構造２００の構成部材の重量及び点数を可及的に低減することができる。
【００５８】
しかも、この屋根部開閉構造２００では、各溝部２２０、２２６へスプリング４００を挿入するだけで、天窓用シート２０１、ネット部材２０２、遮蔽シート２０３の固定を行うことができるので、簡単な構造でありながら、確実な固定を行うことができる。
【００５９】
次に、パイプ支持体２４０の具体的構造について、図４を参照して説明する。このパイプ支持体２４０は、図４に示すように、屋根部１２０の傾斜面の中途部に、ハウス長手方向へシート支持体２１０と略平行して配設されるものであり、屋根部１２０を構成するハウス構築材１０１の所定位置に取り付けた複数の固定具２４２に装着固定される。
【００６０】
このパイプ支持体２４０は、巻取パイプ２３０を収容するパイプ収容部２４１と、ネット部材２０２の他端を保持するネット保持部２４３と、レール部材２６０の他端を支持するレール支持部２４４と、屋根部１２０を構成する樹脂性シート１１０の上端を支持する屋根用シート保持部２４５と、パイプ収容部２４１に収容した巻取パイプ２３０を係止するパイプ係止部２４６とを備えている。なお、図中の符号２５８は、巻取パイプ２３０を係止する際の天窓用シートの張力により、パイプ支持体２４０がシート支持体２１０側へ傾くことを防止するために設けられた支持脚である。
【００６１】
パイプ収容部２４１は、当該パイプ支持体２４０の底面と側面と頂面とにより、屋根部１２０の軒方向が開放された断面略コ字状の空間を備えており、この空間内に、天窓部１３０を閉鎖した後の巻取パイプ２３０を収容可能に構成している。
【００６２】
ネット保持部２４３は、前述のシート保持部２１５と同様の構造をしており、天窓用シート２０１の保持方法と同様の方法でネット部材２０２の端部を保持するように構成している。
【００６３】
具体的に説明すると、このネット保持部２４３は、パイプ支持体２４０の頂面（断面視における上辺）部分からなる底壁部２５７と、当該底壁部２５７のハウス長手方向における左右側端縁を底壁部２５７に対してそれぞれ略６０度の傾斜角度で内側に立ち上げて形成される左右側壁部２４７、２４８とからなる溝部２４９を備えている。
【００６４】
この溝部２４９もシート保持部２１５の溝部２２０と同様に、底壁部２５７の幅よりも開口幅を狭く形成している。
【００６５】
このネット保持部２４３は、溝部２２０と、当該溝部２４９の内部に装着するスプリング４００との間に、ネット部材２０２の他端をクランプして保持するように構成している。
【００６６】
そして、ネット保持部２４３へのネット部材２０２或いは遮蔽シート２０３の取り付けは、上記シート保持部２１５の天窓用シート２０１への取り付けと同様、溝部２４９内周面とスプリング４００との間にネット部材２０２或いは遮蔽シート２０３をクランプして保持し、これらがネット保持部２４３から外れないように固定する。なお、ここで用いるスプリング４００は、前述の天窓用シート２０１をクランプする際に用いたものと同一構造のスプリング４００である。
【００６７】
また、ネット保持部２４３における左右側壁部２４７、２４８の先端部分にもシート保持部２１５と同様の係止部２５０、２５１が形成されており、スプリング４００の溝部２４９からの抜けを可及的に防止することが可能となっている。
【００６８】
レール支持部２４４は、レール部材２６０の他端を支持するものである。このレール支持部２４４は、パイプ支持体２４０の側面から屋根部１２０と平行して鍔状に突設されている。そして、レール部材２６０を架設する際には、当該レール支持部２４４にレール部材２６０の他端を載置しビスにより固定する。
【００６９】
屋根用シート保持部２４５は、パイプ支持体２４０の底面先端に一体形成された溝部２５２により構成している。
【００７０】
この溝部２５２は、前述のネット保持部２４３と同様の形状をなしており、ハウス長手方向に伸延する底壁部２５３と、この底壁部２５３のハウス長手方向における左右側端縁から当該底壁部２５３に対してそれぞれ略６０度の傾斜角度で内側に立設した左右側壁部２５４、２５５とにより構成され、一方の側壁部２５５の上端とパイプ支持体２４０の底面先端とが連結されている。なお、パイプ支持体２４０は、この屋根用シート保持部２４５を固定具２４２に装着固定することによって、屋根部１２０の傾斜面中途部に固定される。
【００７１】
そして、この屋根用シート保持部２４５に樹脂性シート１１０を取り付ける場合は、溝部２５２の上方からその内部に樹脂性シート１１０を挿入し、次に樹脂性シート１１０の上から、弾性係止部材として、溝部２５２の幅に合わせて所定の振り幅で蛇行させスプリング４００を挿入し、溝部２５２内周面とスプリング４００との間に樹脂性シート１１０の上端をクランプして保持する。
【００７２】
このように、本実施形態の屋根部開閉構造２００では、パイプ支持体２４０が、ネット部材２０２或いは遮蔽シート２０３の端部を保持する機能と、レール部材２６０の他端を支持する機能と、樹脂性シート１１０を係止する機能とを兼ね備えているので、当該屋根部開閉構造２００の構成部材の重量及び点数を可及的に低減することができる。
【００７３】
しかも、この屋根部開閉構造２００では、各溝部２４９、２５２へスプリング４００を挿入するだけで、ネット部材２０２、遮蔽シート２０３の固定を行うことができるので、簡単な構造でありながら、確実な固定を行うことができる。
【００７４】
さらに、本実施形態の屋根部開閉構造２００は、前述のようにしてハウス１００の外周に沿って張設されたハウスバンド３００の中途部を、所定の高さで支持するバンドガイド体２８０を備えている。
【００７５】
このバンドガイド体２８０は、パイプ支持体２４０の所定位置に、ハウス長手方向に所定間隔を空けて複数配設され、レール部材２６０に沿って転がりながら移動する巻取パイプ２３０と接触しない高さに、ハウスバンド３００を支持するものである。
【００７６】
図４に示すように、このバンドガイド体２８０は、断面Ｌ字状のガイド支持体２８１と、このガイド支持体２８１の一端に取付けられハウスバンド３００を下方から支持するガイド２８２とを備えている。
【００７７】
ガイド支持体２８１は、その他端部を所定長略直角に折曲して形成した被係止部２８３を備えており、この被係止部２８３をパイプ収容部２４１に設けた係止部２８４に係止することによって、パイプ支持体２４０に固定するように構成している。また、ガイド支持体２８１の一端部には、ガイド２８２を取付け固定するためのビス用孔が形成されている。
【００７８】
ガイド２８２は、ガイド支持体２８１の一端側を両側から挟持する挟持部２８５と、この挟持部２８５の端部に一体形成された断面リング状のガイドパイプ２８６とを備えている。なお、挟持部２８５の所定位置にも、当該ガイド２８２をガイド支持体２８１の一端に取付け固定するためのビス用孔が形成されている。
【００７９】
そして、このガイド２８２は、挟持部２８５の間でガイド支持体２８１の一端側を挟持させた状態で、ビスと蝶ナットによりガイド支持体２８１の一端側に取り付け固定する。
【００８０】
こうして複数配設したバンドガイド体２８０の各ガイド支持体２８１のリング内に、ガイドパイプ２８６を挿入し、このガイドパイプ２８６又はガイド２８２により、ハウスバンド３００を支持する。
【００８１】
このように、本実施形態の２００では、ハウスバンド３００をハウス１００の外周に張設することによって、強風により屋根部１２０の樹脂性シート１１０及び天窓用シート２０１が捲れることを防止しつつ、バンドガイド体２８０により、ハウスバンド３００を所定の高さで支持することができるので、巻取パイプ２３０を巻取ったり巻戻したりする際に、ハウスバンド３００が巻取パイプに接触して当該巻取り操作や巻戻し操作を阻害するのを防止することができる。
【００８２】
ここで、以上のように構成した屋根部開閉構造２００による天窓部１３０の開閉動作について、図５を参照して説明する。図５（ａ）は、天窓部１３０開放時の屋根部開閉構造２００を示す側面説明図であり、図５（ｂ）は、天窓部１３０閉鎖時の屋根部開閉構造２００を示す側面説明図である。
【００８３】
図５（ａ）に示すように、天窓部１３０が開放状態のときには、巻取パイプ２３０が天窓用シート２０１を全て巻取った状態で、レール部材２６０の一端（上端部）側に保持される。
【００８４】
このとき、巻取パイプ２３０には、図５に示す側面視において、天窓用シート２０１が当該巻取パイプ２３０の外周から内周へ向けて時計回りに巻回されて巻取られた状態となっている。
【００８５】
そして、天窓部１３０を閉鎖する場合には、シート巻取装置２３１のハンドル２３２を、巻き戻し方向（巻取り方向とは逆方向）に回動操作することによって、巻取パイプ２３０を図５に示す側面視において反時計回りに回転させながら、レール部材２６０上を下方へ移動させる。
【００８６】
そして、巻取パイプ２３０をレール部材２６０の他端（下端）側まで移動させた後、さらに、ハンドル２３２を巻き戻し方向と同一方向に回動操作することによって、図５（ｂ）に一点鎖線で示すように、巻取パイプ２３０をパイプ支持体２４０上端面から屋根部１２０の傾斜面側へ落下させる。
【００８７】
その後、更にハンドルを巻き戻し方向と同一方向に回動操作することによって、巻取パイプ２３０が図５に示す側面視において反時計回りに回転して天窓用シート２０１を巻取りながらパイプ収容部２４１内に収容される。
【００８８】
最後に、ハンドル２３２に対して、巻き戻し方向に回動力を加えることによって、天窓部１３０を被覆している部分の天窓用シート２０１に張力を加えて、天窓用シート２０１の緊張状態を維持しながらシート巻取装置２３１のロック機構をロックする。
【００８９】
その結果、巻取パイプ２３０は、図５（ｂ）に実線で示すように、パイプ係止部２４６に係止された位置で保持される。
【００９０】
なお、こうして閉鎖した天窓部１３０を再度開放する場合には、シート巻取装置２３１のロック機構を解除して、ハンドル２３２を巻取り方向に回動操作し、天窓部１３０の開放領域が所望の広さになったときに、再度、シート巻取装置２３１のロック機構をロックする。
【００９１】
このように、本実施形態の屋根部開閉構造２００では、天窓部１３０を閉鎖する際に、巻取パイプ２３０を巻き戻し方向に回転させ続けるだけで、天窓部１３０を被覆した天窓用シートに張力を加えて緊張状態を維持しつつ天窓部１３０を閉鎖することができるので、強風が吹いた場合でも開口部を確実に塞いでおくことができる。
【００９２】
しかも、この屋根部開閉構造２００は、天窓用シート２０１により天窓部１３０の開放及び閉鎖を行うため、従来の金属製の天窓よりも軽量であり、且つ、安価で製造することが可能である。
【図面の簡単な説明】
【００９３】
【図１】本実施形態に係る屋根部開閉構造の外観図である。
【図２】本実施形態に係る屋根部開閉構造の側面図である。
【図３】本実施形態に係るシート支持体周辺の拡大側面図である。
【図４】本実施形態に係るパイプ支持体周辺の拡大側面図である。
【図５】本実施形態に係る屋根部開閉構造による天窓部の開閉動作を示す説明図である。
【図６】従来の天窓構造を示す説明図である。
【符号の説明】
【００９４】
１００    ビニルハウス
１１０    樹脂性シート
１２０    屋根部
１３０    天窓部
２００    屋根部開閉構造
２０１    天窓用シート
２１０    シート支持体
２１１    シート保持部
２３０    巻取パイプ
２３１    シート巻取装置
２４０    パイプ支持体
２４１    パイプ収容部
２６０    レール部材
２８０    バンドガイド体
３００    ハウスバンド
【図１】
0005026941.tif 000002
【図２】
0005026941.tif 000003
【図３】
0005026941.tif 000004
【図４】
0005026941.tif 000005
【図５】
0005026941.tif 000006
【図６】
0005026941.tif 000007